(57)【要約】      （修正有）【課題】便秘に苦悩する人に排泄器官の改善を促し、排便を正常化すること。【解決手段】排便において便意をもよおし、きばってみても直腸下部に便が停滞して十分な排便感がない場合は不快であり、また体調をも悪くする。その場合に直腸下部への指圧刺激は、排泄器官の血行をよくして鈍化した神経を回復させ、肛門括約筋のはたらきを改善する効果がある。しかし、直腸下部は肛門と薦骨下部との狭い間の位置にあり、なお、腰掛姿勢でのみ身体の表面近くに表われる。だから腰掛姿勢においてのみ直腸下部と本考案の指圧突起部は極めて接近の状態にあり、指圧代行具の効果は良好である。４箇所の突起２で指圧を代行することは安定感がある。また、各人身体にもサイズ差があるので、本考案の突起部のサイズも数種必要と思われる。さらに突起部に振動を与えることも効果的である。【選択図】図２
0003132198.tif 000002
【実用新案登録請求の範囲】
【請求項１】
排泄器官の機能活性化のために、腰掛姿勢の状態で下方向から上へ向かって直腸下部への指圧刺激を代行できる突起物を数箇所備えた排便促進具。
【考案の詳細な説明】
【技術分野】
【０００１】  本考案は排便を促すための、直腸下部を指圧刺激するための指圧代行具に関するものである。
【背景技術】
【０００２】  排便促進については内服薬によるものが主であって、背面からの指圧具も多く見られるが、本考案のごとく直腸下部指圧によるものは他に見当たらない。
【考案の開示】
【考案が解決しようとする課題】
【０００３】  トイレで長時間きばらないと出ない、便が出ても少量で爽快感がない、排便日の間隔が長い、兎の便のようなコロコロ便が少量しか出ない等の、“排便苦”を解決しようとするものである。
【課題を解決しようとするための手段】
【０００４】  肛門のすぐ後部に位置する直腸下部は、肛門と同様身体の凹みの状態の中にあるので、指先で押圧するのは出来にくい部分である。そこで本考案の排便促進具の上に直腸下部を当てて、体重をかけ下方向から押圧することにより課題を解決する。
【考案の効果】
【０００５】  従来便秘については腹部の指圧や背面からの指圧が用いられてきたが、効果に至るまで長時間を要するため主に内服薬が用いられている。しかし本考案の排便促進具は、直腸下部を指圧刺激することにより、排泄器官の血行をよくし、鈍化した神経を回復させて肛門括約筋の働きを活性化して排便を正常化する。
【考案を実施するための最良の形態】
【０００６】  人体は直立した姿勢では、直腸下部および肛門は、身体の内側に潜む状態であるが、椅子に腰を下ろす姿勢においては最も表面に近く、外部からの刺激にきわめて敏感なところとなる。
なお、肛門に直結している直腸下部はきわめて狭い身体の部分に表われるため、排便促進具のその当て所は肛門部のすぐ後部でなければならない。
【実施例】
【０００７】  以下添付図面に従って実施例を説明する。１．は硬質ウレタンなど適宜素材にて一体化形成された排便促進具である。２．は指圧代行突起となる木製の半球である。この半球に３の心棒を通し、４の円座クッションを用いて肌あたりをソフトにする。５は心棒となるボルトを固定する座金とナットである。そしてこの突起物を４箇所設ける。本考案の実施例は上述のごとき構成からなるものであり、図３および図４に示す通り肛門と薦骨下部の間において直腸下部に指圧刺激を与えなければならないので、突起部２の中心と横の突起部の中心との間隔は３センチメートルとした。また、突起部の高さは２．５センチメートルとした。なお、衣服の上から使用するにおいても指圧刺激は適度と感じられた。また、突起物に振動を与えると効果は増大するものと思われる。
【図面の簡単な説明】
【０００８】
【図１】本考案の排便促進具の実施例を示す平面図である。
【図２】本排便促進具の要部断面図である。
【図３】本排便促進具の指圧代行位置図
【図４】本排便促進具の腰掛姿勢における指圧代行位置図
【符号の説明】
【０００９】  １．  本排便促進具本体
２．  半球型指圧代行突起部
３．  心棒ボルト
４．  ゴム質円座クッション
５．  心棒ボルト用ナットおよび座金
６．  土台クッション板
７．  肛門の位置を定める標
【図１】
0003132198.tif 000003
【図２】
0003132198.tif 000004
【図３】
0003132198.tif 000005
【図４】
0003132198.tif 000006
【手続補正書】
【提出日】平成18年5月16日(2006.5.16)
【手続補正１】
【補正対象書類名】実用新案登録請求の範囲
【補正対象項目名】全文
【補正方法】変更
【補正の内容】
【実用新案登録請求の範囲】
【請求項１】
板状をなす本体と前記本体から上向きに指圧代行用突起物を４箇所突設する。当該突起物は、直腸下部に対する指圧刺激のためのものであって、直腸下部は肛門のすぐ後部の狭い位置にあり、腰掛姿勢でのみ体の表面近くに表われるため、当該４箇所の突起物を腰掛姿勢で肛門のすぐ後部の直腸下部に当てて座れば、適度な体重をかけることになり、指圧同様の押圧を実現することができる。
本体に備えられた指圧代行突起は、直腸下部への指圧刺激を可能にして、直腸内の停滞便を速やかに排泄すべく、便意を促す誘因となる。
よって本具は、直腸下部への指圧代行用突起の活用により、排泄器官を活性化して糞便の排泄を楽にし、なお着衣のまま使用できる排泄促進具。
【手続補正書】
【提出日】平成18年8月25日(2006.8.25)
【手続補正１】
【補正対象書類名】実用新案登録請求の範囲
【補正対象項目名】全文
【補正方法】変更
【補正の内容】
【実用新案登録請求の範囲】
【請求項１】
腸内の糞便停滞による便秘を感じた場合に、肛門後部に位置する直腸に対して指圧代行具を用いることで、指圧刺激を与えることによって内肛門括約筋や外肛門括約筋など排泄器官のはたらきを活性化し改善をして、排便促進をなすものである。
排便促進と指圧代行具による直腸指圧刺激との相互関係において
１．直腸下部は歩行状態では身体の表面部に表われず、腰掛け姿勢でのみ肛門後部の狭い特定位置で、身体の表面近くに表われる。
２．腰掛け姿勢の状態で、当該排便促進具を直腸後部に当てて座り、適度な体重をかけて、指圧同程度の押圧を数回繰り返す。そのことにより排泄器官の働きは活性化し、便意の強まりが得られ糞便を押し出す力が強まる。なお、直腸下部は刺激に対して非常に敏感なところであり鋭敏な反応を得る。
以上の相互関係から、直腸下部の指圧刺激によって自然治癒力を改善し快便へと導く排便促進具である。
本具の構成において
１．お尻を乗せられる広さと弾力を有する板状を本体とし、本体から上向きに指圧刺激代行用の突起物を装備したものであって、突起物の形状は、先端を半球形として指圧に適度の高さを有し、突起物の中心部と中心部の相互間隔は約３センチメートル程度で二列四箇所装備する。
以上の構成からなる排便促進具である。
【手続補正２】
【補正対象書類名】図面
【補正対象項目名】全図面
【補正方法】変更
【補正の内容】
【図１】
0003132198.tif 000007
【図２】
0003132198.tif 000008
【図３】
0003132198.tif 000009
【図４】
0003132198.tif 000010
【手続補正書】
【提出日】平成18年12月7日(2006.12.7)
【手続補正１】
【補正対象書類名】実用新案登録請求の範囲
【補正対象項目名】全文
【補正方法】変更
【補正の内容】
【実用新案登録請求の範囲】
【請求項１】
座位状態で肛門後部に近接する直腸に対し、振動機能付き指圧代行手段を備え、指圧とマッサージの二重の刺戟により排便を促す排便促進具。
【請求項２】
お尻を乗せるに相応しい面積と弾力を有する板状物を本体として、本体から上向きに指圧刺戟代行用の突起物を複数個所取り付けて、直腸下部を指圧することを特徴とする請求項１に記載の排便促進具。
【請求項３】
請求項２に記載する突起物の下側に振動エネルギー源となる電動モーターを組み込み、指圧部に振動を加えることを特徴とする請求項１に記載の排便促進具。
以上の構成からなる排便促進具
【手続補正２】
【補正対象書類名】図面
【補正対象項目名】全図
【補正方法】変更
【補正の内容】
【図１】
0003132198.tif 000011
【図２】
0003132198.tif 000012
【図３】
0003132198.tif 000013
【図４】
0003132198.tif 000014
【手続補正３】
【補正対象書類名】明細書
【補正対象項目名】０００９
【補正方法】変更
【補正の内容】
【０００９】１．  本排便促進具本体
２．  半球型指圧代行突起部
３．  心棒ボルト
４．  ゴム質円座クッション
５．  心棒ボルト用ナットおよび座金
６．  土台クッション板
７．  肛門の位置を定める標
８．  振動用電動モーター
９．  電源およびスイッチ
１０．  伝導コイル
１１．  電動モーター格納ケース
【手続補正書】
【提出日】平成19年2月28日(2007.2.28)
【手続補正１】
【補正対象書類名】実用新案登録請求の範囲
【補正対象項目名】全文
【補正方法】変更
【補正の内容】
【実用新案登録請求の範囲】
【請求項１】
座位状態で肛門後部に近接する直腸に対し、振動機能付きで指圧代行手段として本体と成る板状物の中心部に突起物を装備し、指圧とマッサージの二重の刺戟により排便を促す排便促進具。
身体の狭い部分で指圧代行を可能とする突起物の構成において
１．  指圧代行用突起物は、その先端を直径２センチメートルの半球体とし、その下部には直径２センチメートル、長さ１，５センチメートルの円座クッションを用いて、先端の半球体と接合する。
２．  突起物の中心と横に並べる突起物の中心との間隔は３センチメートルとして、縦２横２合計４箇所配備する。
３．  突起物の高さは、半球体の厚みと円座クッションの厚みとの合計となり２，５センチメートルの高さとなる。
【請求項２】
お尻を乗せるに相応しい面積と弾力を有する板状物を本体として、本体から上向きに指圧刺戟代行用の突起物を４個所取り付けて、直腸下部を指圧することを特徴とする請求項１に記載の排便促進具。
【請求項３】
請求項２に記載する突起物の下側に振動エネルギー源となる電動モーターを組み込み、指圧部に振動を加えることを特徴とする請求項１に記載の排便促進具。